(57)【要約】【課題】差異ビット数カウンタと受信データ判定部による判定処理では、その判定処理に要する時間が長く、その間の電力は削減することができない。【解決手段】データパターンの開始タイミングを判定するためのフレームパターンを設定可能なフレームパターン設定部６と、キャリアセンス有効時に行われる無線受信信号の復調結果の受信データを格納する受信データバッファ４と、受信データバッファの受信データをフレームパターン設定部のフレームパターンと比較し、一致判定したときに一致信号を送出するパターン比較判定部５と、一致信号を受け取ったときに無線電源を省電力制御する無線電源制御部１３とを備え、さらに、ノイズパターンを設定可能なノイズパターン設定部１４を備え、パターン比較判定部５は、フレームパターンとの比較に先行して、受信データバッファ４の受信データをノイズパターン設定部１４のノイズパターンと比較し、一致判定したときに一致信号を送出するように構成されている。【選択図】図１
2010161676.tif 000002
【特許請求の範囲】
【請求項１】
データパターンの開始タイミングを判定するためのフレームパターンを設定可能なフレームパターン設定手段と、
キャリアセンスが有効のときに行われる無線受信信号の復調結果の受信データを格納する受信データバッファ手段と、
前記受信データバッファ手段の受信データを前記フレームパターン設定手段のフレームパターンと比較し、一致判定したときに一致信号を送出するパターン比較判定手段と、
前記パターン比較判定手段から前記一致信号を受け取ったときに無線電源を省電力制御する無線電源制御手段とを備えた無線通信機能を有するマイクロコンピュータであって、
さらに、
ノイズパターンを設定可能なノイズパターン設定手段を備え、
前記パターン比較判定手段は、前記フレームパターン設定手段のフレームパターンとの比較に先行して、前記受信データバッファ手段の受信データを前記ノイズパターン設定手段のノイズパターンと比較し、一致判定したときに前記一致信号を前記無線電源制御手段に送出するように構成されているマイクロコンピュータ。
【請求項２】
前記無線電源制御手段は、前記パターン比較判定手段から前記一致信号を受けたときに、前記無線電源に対する電力供給を停止するように構成されている請求項１に記載のマイクロコンピュータ。
【請求項３】
前記ノイズパターン設定手段は、さらに任意のノイズパターンを設定可能に構成されている請求項１または請求項２に記載のマイクロコンピュータ。
【請求項４】
前記無線通信の形態が特定小電力無線通信である請求項１から請求項３までのいずれかに記載のマイクロコンピュータ。
【請求項５】
前記ノイズパターン設定手段は、前記ノイズパターンとしてオール０またはオール１を設定する請求項４に記載のマイクロコンピュータ。
【請求項６】
無線通信機能を有する制御機器と、前記制御機器によって制御される警報機とを具備する設備システムであって、前記制御機器が請求項１から請求項５までのいずれかに記載のマイクロコンピュータで構成されている設備システム。
【請求項７】
無線通信機能を有する制御機器と、前記制御機器によって制御される電気、ガスまたは水道の検針メータとを具備する検針システムであって、前記制御機器が請求項１から請求項５までのいずれかに記載のマイクロコンピュータで構成されている検針システム。
【請求項８】
無線通信機能を有する制御機器を具備するエントリーシステムであって、前記制御機器が請求項１から請求項５までのいずれかに記載のマイクロコンピュータで構成されているエントリーシステム。
【請求項９】
前記エントリーシステムが自動車用キーレスエントリーシステムである請求項８に記載のエントリーシステム。
【請求項１０】
無線通信機能を有する制御機器を具備する自動課金システムであって、前記制御機器が請求項１から請求項５までのいずれかに記載のマイクロコンピュータで構成されている自動課金システム。
【請求項１１】
無線通信機能を有する制御機器を具備するセキュリティ認証システムであって、前記制御機器が請求項１から請求項５までのいずれかに記載のマイクロコンピュータで構成されているセキュリティ認証システム。
【請求項１２】
前記セキュリティ認証システムがＰＣロック機能として構成されている請求項１１に記載のセキュリティ認証システム。
【発明の詳細な説明】
【技術分野】
【０００１】
本発明は無線通信機能を有するマイクロコンピュータにかかわり、特には無線受信制御における低消費電力化の技術に関する。また、そのマイクロコンピュータの応用システムに関する。
【背景技術】
【０００２】
近年、無線通信機能を使ったセット商品は、その利便性により数多くのものが登場している。中でも、携帯性の観点から電池を駆動電源とするものが強く要望され、低消費電力の商品が増加している。特に警報機等はメンテナンスフリーを実現する目的から、電池で１０年間動作することを前提としており、低消費電力化が強く求められている。
【０００３】
以下、従来の技術について図４を用いて説明する。図４は従来の技術における無線通信機能を有するマイクロコンピュータμＣの構成を示すブロック図である。ここでは、とりあえず、図中構成要素の経過時間計測部８と差異ビット数カウンタ１１と受信データ判定部１２がない場合の動作を説明することとする。
【０００４】
無線受信アンテナ部１によって電波が受信され、その受信信号が電波復調部２内のキャリア出力検出部３に送られる。そして、受信電波の強さ（電界強度）がキャリア出力検出部３によって計測され、その計測結果の電界強度が無線通信機能制御部９におけるキャリア出力有無判定部１０へ通知される。キャリア出力有無判定部１０は、受けとった電界強度を仕様により設定されている閾値と比較してキャリア出力のセンス処理を行う。このとき、受信電界強度が閾値よりも小さければ、受信しようとする周波数帯には電波がないと判断され、消費電力削減のため無線電源制御部１３により無線電源に対する電力供給が遮断される。一方、受信電界強度が閾値以上であれば、受信しようとする周波数帯に電波があると判断され、無線電源制御部１３は無線電源に対する電力供給を継続し、電波復調部２により受信されたアナログ信号がデジタル信号に復調され、デジタルデータとして受信データバッファ４に格納されるとともに、フレームパターン比較部５′の動作が開始される。
【０００５】
フレームパターン設定部６には、あらかじめ無線通信機能制御部９で定義された比較データであり、データパターンの開始タイミングを判定するためのフレームパターンが格納されている。動作が開始されたフレームパターン比較部５′は、受信データバッファ４内の受信データをフレームパターン設定部６内のフレームパターンと比較する。この比較で一致した場合は、パターンが一致したことを示す一致信号を無線通信機能制御部９に送出する。特定小電力無線通信においては、受信データがフレームパターン設定部６におけるフレームパターンに一致すれば、これは、次ビット以降からのデータがデータパターンの開始であることを意味する。データパターンとは、システムの制御に必要となる本データのことを指す。無線通信機能制御部９が一致信号を受け取ると、次ビット以降からのデータが本データとして受信開始され、受信データバッファ４に格納されている受信データが確定受信データ転送部７を介して無線通信機能制御部９へ転送される。
【０００６】
ところで、受信待機中には、マイクロコンピュータμＣが受信しようとする周波数帯にそもそも送信データではない、いわゆるノイズや、送信データであっても近傍周波数帯で通信を行っている他のシステム向けのデータが存在するケースがよくある。こういった場合、キャリア出力検出部３は、受信しようとする周波数帯に電波ありと誤判定してしまう（誤センス）。このような誤センスの場合に、フレームパターン比較部５′は比較動作を開始しデータの精査を行うことになるが、もちろん誤センスであるためにフレームパターンが一致することはない。結果的に、この比較動作は無駄なものであり、無駄な電力消費が行われたことになる。
【０００７】
そこで、こういったケースを想定し、無駄な比較処理を停止するための手段として、経過時間計測部８が用意されている。経過時間計測部８に設定された制限時間の間は、受信データバッファ４とフレームパターン設定部６との比較処理を行う。しかし、制限時間を経過しても受信データがフレームパターンに一致しない場合は、無線電源制御部１３により無線電源に対する電力供給が遮断され、無駄な電力消費を抑える。
【０００８】
しかし、それでも、誤センスされてから経過時間計測部８に設定されている制限時間を経過するまでの間は電力供給がなされ、無駄な電力を消費してしまう。そこで特許文献１では、差異ビット数カウンタ１１と受信データ判定部１２とを追加している（比較差判定手段）。差異ビット数カウンタ１１は、受信データバッファ４内の受信データがフレームパターン設定部６内のフレームパターンと一致しない状態において、具体的に差異のあるビット数をカウントし、カウント結果を受信データ判定部１２に出力する。受信データ判定部１２は、そのカウント結果が任意の定められた範囲内に収まっているか否かにより、該当データがノイズであるかどうかの判断を行い、ノイズであると判断したときは、無線電源に対する電力供給を停止する。
【０００９】
この２つの構成要素（差異ビット数カウンタ１１と受信データ判定部１２）の追加により、制限時間の到達を待つことなく、該当データがノイズであった場合には無線電源制御部１３を介して無線電源への電力供給を停止する。その結果として、誤センスから経過時間計測部８に設定されている制限時間を経過するまでの時間に対して、時間短縮を図り、消費電力を削減する。
【特許文献１】特開平７−２２１７４５号公報（第６−８頁、第１−４図）
【発明の開示】
【発明が解決しようとする課題】
【００１０】
従来の技術では、上記の通り消費電力の削減を試みているが、受信データとして「０」や「１」が連続するような明らかなノイズであるバーストノイズに対しても、差異ビット数カウンタ１１は差異のあるビット数をカウントし、そのカウント結果によっては受信データ判定部１２の判定処理を実行する必要がある。しかし、この受信データ判定部１２による判定処理が実行されている間は電源供給が継続され、その判定処理に要する時間が長く（後述する所要時間Ｔ２を参照）、その間の電力は削減することができない。
【００１１】
また、フレームパターン設定部６内のフレームパターンとして「０」「１」が同数で設定されているときは、たとえバーストノイズであっても、一致するビット数と一致しないビット数は必ず同じ数になる。この場合、差異ビット数カウンタ１１がカウントする差異ビット数が一定範囲内に収まってしまい、そうなるとノイズを的確に判定できなくなる。結局は、経過時間計測部８に依存して無線電源制御部１３を制御せざるを得ず、消費電力を抑えることができない。
【００１２】
また、上記方法ではフレームパターン長も比較的長いパターンとしなければならない。ノイズと判定するための差異ビット数のカウント結果において、ある範囲内での幅をもった判定では顕著な差が現れないからである。そのために、ノイズであると断定するための条件が厳しくなり、結果として、無線電源制御のタイミングがユーザによるパターン設定に依存してしまうという弱点があった。このことは、ユーザによる自由なパターン設定に制約を与えてしまうことになり、システムによっては適切なフレームパターンを実現できないという課題もあった。
【課題を解決するための手段】
【００１３】
本発明による無線通信機能を有するマイクロコンピュータは、
データパターンの開始タイミングを判定するためのフレームパターンを設定可能なフレームパターン設定手段と、
キャリアセンスが有効のときに行われる無線受信信号の復調結果の受信データを格納する受信データバッファ手段と、
前記受信データバッファ手段の受信データを前記フレームパターン設定手段のフレームパターンと比較し、一致判定したときに一致信号を送出するパターン比較判定手段と、
前記パターン比較判定手段から前記一致信号を受け取ったときに無線電源を省電力制御する無線電源制御手段とを備えた無線通信機能を有するマイクロコンピュータであって、
さらに、
ノイズパターンを設定可能なノイズパターン設定手段を備え、
前記パターン比較判定手段は、前記フレームパターン設定手段のフレームパターンとの比較に先行して、前記受信データバッファ手段の受信データを前記ノイズパターン設定手段のノイズパターンと比較し、一致判定したときに前記一致信号を前記無線電源制御手段に送出するように構成されている。
【００１４】
本発明の上記構成のポイントは、新たにノイズパターン設定手段を設けたことと、パターン比較判定手段の機能を拡大し、データパターンの開始タイミングを判定するためのフレームパターンとの比較に先行して、受信データをノイズパターンと比較し、一致判定したときに一致信号を無線電源制御手段に送出するようにした点にある。
【００１５】
上記の構成によれば、「０」や「１」が連続するような明らかなノイズであるバーストノイズをはじめとして、受信したいデータではない、いわゆるノイズに対して、パターン比較判定手段はノイズパターン設定手段のノイズパターンとの比較を通じて、直ちにノイズであると判定することになる。この場合、一致信号を生成して無線電源制御手段に送出するので、無線電源制御手段は直ちに無線電源に対する省電力制御を実行する。この受信データとノイズパターンとの比較はデータパターン開始判定のためのフレームパターンとの比較に先行して行われるものであり、従来技術における差異ビット数のカウント結果による受信データ判定処理と比べて、無線電源を省電力制御するまでの所要時間が短縮化され、省電力化することが可能となる。
【００１６】
上記構成のマイクロコンピュータにおいて、前記無線電源制御手段は、前記パターン比較判定手段から前記一致信号を受けたときに、前記無線電源に対する電力供給を停止するように構成されているという態様がある。この構成によれば、省電力効果を確実なものにする。
【００１７】
また上記構成のマイクロコンピュータにおいて、前記ノイズパターン設定手段は、さらに任意のノイズパターンを設定可能に構成されているという態様がある。この構成によれば、ノイズを判断するための基準となるノイズパターンについて、これをシステムに応じてユーザが自由に設定することが可能となる。
【００１８】
また上記構成のマイクロコンピュータにおいて、前記無線通信の形態が特定小電力無線通信であるという態様がある。本発明の無線通信機能を有するマイクロコンピュータは、特定小電力無線通信の場合の省電力において特に有効である。
【００１９】
また上記構成の特定小電力無線通信用のマイクロコンピュータにおいて、前記ノイズパターン設定手段は、オール０またはオール１の前記ノイズパターンを設定するという態様がある。これは、明らかなノイズであるバーストノイズを対象とするものである。
【００２０】
また、本発明による設備システムは、無線通信機能を有する制御機器と、前記制御機器によって制御される警報機とを具備する設備システムであって、前記制御機器が上記のいずれかのマイクロコンピュータで構成されているものである。この構成によれば、無線通信機能を有する制御機器によって制御される警報機を備えた設備システムにおいて無線通信機の電池寿命が長いものとなり、連続動作時間の長いシステム構築が可能となる。
【００２１】
また、本発明による検針システムは、無線通信機能を有する制御機器と、前記制御機器によって制御される電気、ガスまたは水道の検針メータとを具備する検針システムであって、前記制御機器が上記のいずれかのマイクロコンピュータで構成されているものである。この構成によれば、無線通信機能を有する制御機器によって制御される検針メータを備えた検針システムにおいて無線通信機の電池寿命が長いものとなり、連続動作時間の長いシステム構築が可能となる。
【００２２】
また、本発明によるエントリーシステムは、無線通信機能を有する制御機器を具備するエントリーシステムであって、前記制御機器が上記のいずれかのマイクロコンピュータで構成されているものである。この構成によれば、無線通信機能を有する制御機器を備えたエントリーシステムにおいて無線通信機の電池寿命が長いものとなり、連続動作時間の長いシステム構築が可能となる。
【００２３】
上記構成のエントリーシステムの好ましい態様として自動車用キーレスエントリーシステムがある。
【００２４】
また、本発明による自動課金システムは、無線通信機能を有する制御機器を具備する自動課金システムであって、前記制御機器が上記のいずれかのマイクロコンピュータで構成されているものである。この構成によれば、無線通信機能を有する制御機器を備えた自動課金システムにおいて無線通信機の電池寿命が長いものとなり、連続動作時間の長いシステム構築が可能となる。
【００２５】
また、本発明によるセキュリティ認証システムは、無線通信機能を有する制御機器を具備するセキュリティ認証システムであって、前記制御機器が上記のいずれかのマイクロコンピュータで構成されているものである。この構成によれば、無線通信機能を有する制御機器を備えたセキュリティ認証システムにおいて無線通信機の電池寿命が長いものとなり、連続動作時間の長いシステム構築が可能となる。
【００２６】
上記構成のセキュリティ認証システムがＰＣロック機能として構成されているものも好ましい態様である。ＰＣロックとは、パソコンに設置されている親機とユーザーが持ち運び可能な子機との間で定期的に無線通信を行うシステム等において、親機と子機との距離が一定以上に大きくなった場合にパソコンをロックする機能のことである。
【発明の効果】
【００２７】
本発明によれば、バーストノイズなどの発生時にいち早くノイズと判定し無線電源を省電力制御することにより、消費電力削減機能を効果的なものすることができる。また、フレームパターンに依存しないノイズ判別により、システムに柔軟に対応することが可能となる。
【発明を実施するための最良の形態】
【００２８】
以下、本発明にかかわる無線通信機能を有するマイクロコンピュータの実施の形態を図面を用いて詳細に説明する。
【００２９】
（実施の形態１）
図１は本発明の実施の形態１における無線通信機能を有するマイクロコンピュータの構成を示すブロック図である。図１において、μＣは無線通信機能を有するマイクロコンピュータ、１は無線受信アンテナ部、２は無線受信アンテナ部１で受信した信号をデジタル信号に復調する電波復調部、３は電波復調部２に内蔵されたもので、電波復調部２によってアナログ信号をデジタル信号へ復調する際に受信電波の強さ（電界強度）を計測するキャリア出力検出部、４は復調されたデジタルの受信データを格納する受信データバッファ、５は受信データバッファ４と後述するフレームパターン設定部６およびノイズパターン設定部１４とで受信データのパターン比較を行うパターン比較判定部、６はあらかじめ無線通信機能制御部９で定義されたデータパターンの開始タイミングを判定するためのフレームパターンを格納するフレームパターン設定部、７は受信データバッファ４に格納されているデータを転送する確定受信データ転送部、８は設定されている制限時間を経過するまで経過時間を計測する経過時間計測部、９はキャリア出力有無判定部１０と無線電源制御部１３からなる無線通信機能制御部、１４はあらかじめ無線通信機能制御部９で定義されたノイズパターンを設定可能であるとともにユーザーが任意のノイズパターンを設定可能なノイズパターン設定部である。１０はキャリア出力検出部３から受けとった電界強度を仕様により設定されている閾値と比較してキャリア出力のセンス処理を行うキャリア出力有無判定部、１３はキャリア出力有無判定部１０や経過時間計測部８やパターン比較判定部５によって制御されて図示しない無線電源に対する電力供給を制御する無線電源制御部である。フレームパターン設定部６とノイズパターン設定部１４は、ＲＡＭやレジスタで構成されている。従来技術の場合の差異ビット数カウンタ１１と受信データ判定部１２は設けられていない。
【００３０】
ノイズパターン設定部１４におけるノイズパターンについては、例えば２値ＦＳＫ（Frequency Shift Keying：周波数偏移変調）方式の場合であれば、全ビット「０」および「１」であり、４値ＦＳＫであれば、全ビット「００」、「１１」、「０１」および「１０」であるが、必ずしもこのパターンに限るものではない。ＡＳＫ(Amplitude Shift Keying：振幅偏移変調）方式、ＰＳＫ（Phase Shift Keying：位相偏移変調）方式等でもよい。ただし、本実施の形態ではＦＳＫ変調方式を例に説明する。
【００３１】
次に、上記のように構成された無線通信機能を有するマイクロコンピュータμＣの動作を説明する。図２は本実施の形態のマイクロコンピュータの動作を説明するフローチャートである。
【００３２】
無線受信アンテナ部１によって無線信号が受信され、その受信信号が電波復調部２内のキャリア出力検出部３に送られる（ステップＳ１）。
【００３３】
受信電波の強さ（電界強度）がキャリア出力検出部３によって計測され、その計測結果が無線通信機能制御部９におけるキャリア出力有無判定部１０に通知される。キャリア出力有無判定部１０は、受け取った電界強度とあらかじめ設定しておいた閾値を基にキャリアセンス処理を実施する（ステップＳ２）。このとき、受信電界強度が閾値よりも小さければ、受信しようとする周波数帯には電波がないと判断され（ステップＳ３）、消費電力削減のため無線電源制御部１３により無線電源に対する電力供給が遮断される（ステップＳ８，Ｓ９）。一方、受信電界強度が閾値以上であれば、受信しようとする周波数帯に電波があると判断され（ステップＳ４）、無線電源制御部１３は無線電源に対する電力供給を継続し、電波復調部２により受信されたアナログ信号がデジタル信号に復調され、デジタルデータとして受信データバッファ４に格納される（ステップＳ５）とともに、パターン比較判定部５の動作が開始される（ステップＳ６）。
【００３４】
フレームパターン設定部６およびノイズパターン設定部１４には、それぞれあらかじめ無線通信機能制御部９で定義された比較データ（フレームパターン、ノイズパターン）が格納されている。
【００３５】
動作が開始されたパターン比較判定部５によって、まずノイズパターン比較処理が行われ（ステップＳ６）、不一致であれば次いでフレームパターン比較処理が行われる（ステップＳ１０）。詳しくは次のとおりである。
【００３６】
すなわち、まず受信データバッファ４内の受信データがノイズパターン設定部１４内のノイズパターンと比較される（ステップＳ６）。この比較で一致した場合は、ノイズパターンが一致したことを示す一致信号が無線通信機能制御部９に送出される（ステップＳ７）。そして、消費電力削減のため無線電源制御部１３により無線電源に対する電力供給が遮断される（ステップＳ８，Ｓ９）。
【００３７】
受信データバッファ４内の受信データがノイズパターン設定部１４内のノイズパターンと不一致であれば、次いで受信データバッファ４内の受信データがフレームパターン設定部６内のフレームパターンと比較される（ステップＳ１０）。この比較で一致した場合は、一致信号が無線通信機能制御部９に送出される。無線通信機能制御部９において、一致信号を受け取ると、次ビットからの受信データがデータ部の開始であることから、次ビットからのデータ受信が開始され、受信データバッファ４に格納されている受信データが確定受信データ転送部７を介して無線通信機能制御部９へ転送される。経過時間計測部８に設定された時間の間、受信データバッファ４とフレームパターン設定部６との比較処理を行うが、制限時間を経過してもパターンが一致しない場合は、無線電源制御部１３により無線電源に対する電力供給が遮断され、無駄な電力消費を抑える。
【００３８】
以上のように本実施の形態によれば、フレームパターンの一致でノイズ判定は行わず、独自にノイズパターン一致を判断するためのノイズパターン設定部１４とパターン比較判定部５を設け、ノイズパターン比較処理をフレームパターン比較処理より先に行うことで、従来技術に比べバーストノイズ発生時のノイズ検出をいち早く行い、タイムアウト処理を待つことなく、無線電源制御部１３を制御して無線電源を停止し、大きな省電力効果を発揮させることができる。
【００３９】
無線通信においては一般的に、ＦＳＫ（周波数偏移変調）、ＡＳＫ（振幅偏移変調）、ＰＳＫ（位相偏移変調）といった方式を採用している。ＦＳＫは、周波数に対して変調を行う方式である。例えば受信したい周波数より高い周波数を受信した場合には「１」と認識し、受信したい周波数より低い周波数を受信した場合には「０」と認識する（２値ＦＳＫ）。２値ＦＳＫでは閾値が受信したい周波数の値１つとなっているが、閾値を複数持っているものもある。例えば４値ＦＳＫ方式では閾値を３つ有しており、それぞれの範囲内の周波数検出に応じて、「００」、「０１」、「１０」、「１１」と認識する。例えば１０００ｂｐｓの通信の場合、２値ＦＳＫでは１秒当たり１０００ビットしか受信できないが、４値ＦＳＫでは２０００ｂｐｓと同等の受信が可能となる。
【００４０】
本実施の形態のマイクロコンピュータでは、上記通信方式のデータをユーザが自由に設定でき、いかなるノイズパターンにも対応できる。本実施の形態では明らかなノイズパターンとしてオール０／１のバーストノイズを対象としているが、これはシステムがノイズと判断できる任意パターンであっても問題ない。
【００４１】
次に本実施の形態の技術を用いた受信機と未使用である受信機とで、省電力効果について以下に検証する。
【００４２】
例えば通信レート２４００ｂｐｓ、間欠受信４秒、ビット同期長８ｂｙｔｅ、フレーム同期長４ｂｙｔｅ、データ長１８ｂｙｔｅのシステムを考える。このシステムの場合、一般的にタイムアウト時間は、（４ｂｙｔｅ＋１８ｂｙｔｅ＋８ｂｙｔｅ＋４ｂｙｔｅ）×８ｂｉｔ÷２４００ｂｐｓとなり、タイムアウト処理時間は０.１１３秒となる（ビット同期の最終ビットで受信開始したときがワーストとなるため）。
【００４３】
受信時消費電力として１０ｍＷを必要とする受信機で誤センスが生じると、０．１１３秒×１０ｍＷが必要となる。
【００４４】
上記実施の形態の技術を用いた場合、３２ｂｉｔの全ビット「１」または「０」の一致で誤センスと検出した場合、必要な時間は３２ｂｉｔ÷２４００ｂｐｓ＝０．０１３秒である。したがって、必要なのは０．０１３秒×１０ｍＷであり、これは比較例の場合の約１／８の時間で停止処理へ移行可能であることを意味する。よって、誤センスから停止処理が働くまでの時間を短縮し、消費電力を削減することができる。
【００４５】
上記時間短縮に関する本実施の形態の効果を簡潔にまとめると以下のようになる。
【００４６】
従来技術の場合には、
a）差異ビット数のカウント（所要時間Ｔ１）
b）カウント結果の傾向による判定処理（所要時間Ｔ２）
c）判定を受けての無線電源制御（所要時間Ｔ３）
の合計所要時間は、（Ｔ１＋Ｔ２＋Ｔ３）である。
【００４７】
これに対して、本発明の実施の形態では、
a）特異なノイズパターン（オール０またはオール１のバーストノイズ）を対象とし、パターン比較判定部５でのノイズ判定処理（所要時間Ｔ４）
ｂ）判定を受けての無線電源制御（所要時間Ｔ５）
の合計所要時間は、（Ｔ４＋Ｔ５）である。
【００４８】
ここで、Ｔ３＝Ｔ５、Ｔ１≒Ｔ４であるので、
（Ｔ４＋Ｔ５）−（Ｔ１＋Ｔ２＋Ｔ３）＝Ｔ４−（Ｔ１＋Ｔ２）≒−（Ｔ２）＜０
∴（Ｔ４＋Ｔ５）＜（Ｔ１＋Ｔ２＋Ｔ３）
すなわち、〔本発明実施形態の所要時間〕は、〔従来技術の所要時間〕に比べて、受信データ判定部１２が差異ビット数カウンタ１１の結果に基づいて行う判定処理に要する時間Ｔ２だけ短いものとなり、ノイズを受信した際の無線電源停止までに要する電力を削減する上で大きな効果がある。
【００４９】
（実施の形態２）
図３は本発明の実施の形態２にかかわるマイクロコンピュータと警報機を具備する設備システムの構成を示す。
【００５０】
この設備システム２０は、無線通信機能を有するマイクロコンピュータμＣによって制御される。センサ２１は火災発生時に火（熱）や煙を感知し、その情報を有線通信または無線通信を介してマイクロコンピュータμＣへと伝える。マイクロコンピュータμＣは火災発生情報を受理すると無線通信機能により他のすべての設備システムに火災発生情報を伝える（ワイヤレス連動型警報器）。それと同時に警報機２２よりユーザに対し警報を発する。各設備システムは常に受信待ち状態であり、他の設備システムより発せられた火災発生情報を受信すると、自身の警報機より警報を発する。
【００５１】
このように、無線通信機能を有するマイクロコンピュータを使用することにより、他のシステムと無線にて情報共有できるシステムを容易に開発できる。
【００５２】
また、上記システムは、電池駆動が一般的であり、電池残量が少なくなると警報動作に支障を来すだけでなく、連動する他の警報機への無線通信ができず、被害を拡大させる可能性がある。本構成を使用することにより、長期間の電池寿命を満足する設備システムを実現することが可能となる。
【００５３】
なお、実施の形態２で設備システムについて説明したが、本実施の形態は、電池やバッテリーなどの限られた電力を使用して駆動するようなシステム、例えば電気、ガスまたは水道等の検針システム、車におけるキーレスエントリーシステム等のエントリーシステム、自動課金システムシステム、ＰＣロック等のセキュリティ認証システムにおいても同様の効果を得ることができる。
【００５４】
ＰＣロックについては、ノート型やデスクトップといったパソコンに設置されている親機と、ユーザーがポケットや財布等、常に持ち運び可能な子機との間で定期的に無線通信を行うシステムにおいて、親機、子機間が一定距離以内で通信している間のみパソコンを使用するが可能となり、ユーザーが離席などで親機との距離が一定以上に大きくなった場合にパソコンをロックする。ここでいう通信とは認証通信のことを指し、親機に登録された子機でなければ、一定距離内にあってもパソコンを使用することはできない。
【産業上の利用可能性】
【００５５】
本発明の無線通信機能を有するマイクロコンピュータは、低消費電力化が図られるので、特に電池駆動の無線通信機器に有用である。また省電力化が不可欠なシステムに有用である。
【図面の簡単な説明】
【００５６】
【図１】本発明の実施の形態１における無線通信機能を有するマイクロコンピュータの構成を示すブロック図
【図２】本発明の実施の形態１における無線通信機能を有するマイクロコンピュータの動作を示すフローチャート
【図３】本発明の実施の形態２におけるマイクロコンピュータと警報機を具備する設備システムの構成を示すブロック図
【図４】従来の技術における無線通信機能を有するマイクロコンピュータの構成を示すブロック図
【符号の説明】
【００５７】
μＣ  マイクロコンピュータ
１  無線受信アンテナ部
２  電波復調部
３  キャリア出力検出部
４  受信データバッファ
５  パターン比較判定部
５' フレームパターン比較部
６  フレームパターン設定部
７  確定受信データ転送部
８  経過時間計測部
９  無線通信機能制御部
１０  キャリア出力有無判定部
１３  無線電源制御部
１４  ノイズパターン設定部
２０  設備システム
２１  センサ
２２  警報機
【図１】
2010161676.tif 000003
【図２】
2010161676.tif 000004
【図３】
2010161676.tif 000005
【図４】
2010161676.tif 000006